(57)【要約】【課題】  味蕾を傷つけずに簡易かつ安定的に舌苔を除去できる舌苔除去具を提供する。【解決手段】  舌苔除去具６は、手指に嵌められる内径を有しかつ肉厚を有し弾力性のあるゴム材からなる長手状の指サック２と、指サック２を側面から覆うように指サック２に装着されるガーゼ筒４と、からなる。【選択図】  図３
0003213198.tif 000002
【実用新案登録請求の範囲】
【請求項１】
指に嵌めて使用する舌苔除去具であって、
指に嵌められる内径を有しかつ肉厚を有し弾力性のある素材からなる長手状の筒状部材と、
前記筒状部材を側面から覆うように前記筒状部材に装着される木綿布と、
からなる舌苔除去具。
【請求項２】
前記筒状部材は長手方向に沿ってほぼ均一の肉厚を有し、先端に向かって外径及び内径が細くなるテーパ状に形成されている請求項１記載の舌苔除去具。
【請求項３】
前記筒状部材は基材がゴム製である請求項１又は２に記載の舌苔除去具。
【請求項４】
前記筒状部材は表面が防水処理されている請求項１〜３のいずれか１項に記載の舌苔除去具。
【請求項５】
前記木綿布はガーゼからなる請求項１〜４のいずれか１項に記載の舌苔除去具。
【請求項６】
前記木綿布の長手方向の長さは前記筒状部材の長手方向長さより長く形成されており、前記木綿布の基端部には指に押圧される押圧部が形成されている請求項１〜５のいずれか１項に記載の舌苔除去具。
【請求項７】
前記押圧部は前記筒状部材に沿った円周状に形成されたゴムによって構成されている請求項６に記載の舌苔除去具。
【請求項８】
前記ガーゼは４枚重ねである請求項５に記載の舌苔除去具。
【請求項９】
請求項６に記載の木綿布。
【考案の詳細な説明】
【技術分野】
【０００１】
本考案は、人の手指に嵌めて舌の付着物を除去する舌苔除去具に関する。
【背景技術】
【０００２】
従来の舌苔取りの用具は、金属やプラスチック、ゴムなどを素材にして作成された固形物の小物が多く、これら固形物で舌の表面に付着した舌苔をこすり取る形式のものが多かった。このため、これら固形物を常用することにより、味蕾を傷つけ味覚障害を起こす可能性があった。
【０００３】
また、衛生用のガーゼのみを使用して舌苔を除去する方法も推奨されてきたが、素材を指に巻きつけて使用するため、舌苔を数回こすり取ったのち更にこすり取ろうとすると、初めから素材を指に巻きつけ直さなければならず、非常に不便であった。
【０００４】
一方、特許文献１に述べられるように、ガーゼ状のものを素材とする布筒に棒又は指を挿入して舌苔を除去する用具も提案されている。しかし舌苔の除去操作の際には棒又は指を回転させながらこすり取るため、安定的な操作を継続させることが困難で、かつ指から離脱しやすい難点がある。
【先行技術文献】
【特許文献】
【０００５】
【特許文献１】特開２００６-２３９３９６号公報
【考案の概要】
【考案が解決しようとする課題】
【０００６】
本考案は、このような事情に鑑みてなされたもので、味蕾を傷つけずに簡易かつ安定的に舌苔を除去できる舌苔除去具を提供することを目的とする。
【課題を解決するための手段】
【０００７】
本考案は、手指に嵌めて使用する舌苔除去具であって、手指に嵌められる内径を有しかつ肉厚を有し弾力性のある素材からなる長手状の筒状部材と、前記筒状部材を側面から覆うように前記筒状部材に装着される木綿布と、からなる舌苔除去具、からなる。
【０００８】
本考案によれば、舌苔取り操作に際し、木綿布を装着した筒状部材を指に固定して口腔内に入れ、指先を回転させたりしてコントロールして舌の上を繰り返しこすり取る。使用者自身の指先を使用するので、自身の思い通りの作業が可能となる。筒状部材の周囲には木綿布が装着されているので、柔らかい木綿布が舌の表面に直接接触するため、味蕾を傷つけずに舌苔を除去できる。
【０００９】
本考案は、筒状部材は長手方向に沿ってほぼ均一の肉厚を有し、先端に向かって外径及び内径が細くなるテーパ状に形成されることができる。
【００１０】
本考案は、筒状部材は基材がゴム製であることができる。
【００１１】
本考案は、筒状部材は表面が防水処理されることができる。
【００１２】
本考案は、木綿布はガーゼからなることができる。
【００１３】
本考案は、木綿布の長手方向の長さは筒状部材の長手方向長さより長く形成されることができ、木綿布の基端部には手指に押圧される押圧部が形成されることができる。
【００１４】
本考案は、押圧部は前記筒状部材に沿った円周状に形成されたゴムによって構成されることができる。
【００１５】
本考案は、ガーゼは４枚重ねであることができる。
【考案の効果】
【００１６】
本考案によれば、味蕾を傷つけずに簡易かつ操作性良く舌苔を除去できる。
【図面の簡単な説明】
【００１７】
【図１】本考案の舌苔除去具の指サックの外観図
【図２】本考案の舌苔除去具のガーゼ筒の外観図
【図３】人差し指に本考案の舌苔除去具を差し込んだ状態の縦断面図
【考案を実施するための形態】
【００１８】
以下、添付図面に従って本考案の実施形態について詳説する。
【００１９】
本考案は図３に示すように舌苔を取り除く舌苔除去具６である。舌苔除去具６は図１の指サック２及び図２のガーゼ筒４からなる。指サック２は人差し指の付け根から先端近くまでの側面を覆う筒状部材である。
【００２０】
指サック２は、標準的には、長さ７ｃｍ、基端部（指の付け根側）外径２．８ｃｍ、基端部内径２．０ｃｍ、基端部肉厚０．４ｃｍ、先端部（指の先端側）外径２．３ｃｍ、先端部内径１．５ｃｍ、先端部肉厚０．４ｃｍからなる。指の形状に合わせて先端側のほうが外径、内径がそれぞれ基端側より小さく形成されており、指サック２を側面からみると基端側から先端側にかけて大径から小径になるテーパがかかっている。指サック２の肉厚は基端側から先端側まで均一である。
【００２１】
指サック２の素材としては、柔らかくて弾力性のあるゴム材が使用される。これにより、指に装着した状態で指から指サック２が容易に抜けることはなく、使用する人の指の太さに柔軟にフィットすることができる。舌苔をこすり取る際にも、装着した使用者自身の指先を内側に曲げられるので、思い通りの操作が可能となる。このゴム材は外側表面が水分をできるだけ吸収しないように防水処理されていることが望ましい。
【００２２】
ガーゼ筒４は指サック２を覆うように指サック２に装着されるものである。ガーゼ筒４はガーゼを四重に回して重ね合せ、先端部分のミシン線８、長手部分のミシン線１０、指の付け根部分のミシン線１４に示すようにこれら各ミシン線で筒状になるように縫い合わせたものである。ガーゼ筒４の内径は、指サック２への着脱が容易に行える程度のものであれば十分であり、指サック２の外径よりやや大きめであればよい。ガーゼ筒の長手方向一端部にはゴム輪１６がゴム輪部分のミシン線１２において縫い込まれている。標準的にはガーゼ筒４の長手方向長さは指サック２よりもこのゴム輪部分だけ長めにしてゴム輪部分は指に装着した際に指に直接当たるようにする（図３）。
【００２３】
ゴム輪１６の長さ及び付勢強度は、指サック２を装着した指の付け根部分にゴム輪１６に相当する部分が引っ掛かり、手前にこすり取るように行う舌苔取りの操作中にガーゼ筒４が指から外れない程度の強さであれば十分である。
【００２４】
本実施の形態の作用を舌苔除去具６の操作方法を基に説明する。
【００２５】
人差し指に舌苔除去具６を嵌め込んだ状態で口腔に差し込み、指を回転操作させながら舌苔を数回こすり取る。ある程度こすり取って更にこすり取りたい場合には、ガーゼ筒４の、こすり取った舌苔が付着していない反対側が指の内側に位置するように指サック２を回転させるようにしてずらして使用することにより、ガーゼの表面を無駄なく使用することができる。
【００２６】
ガーゼ筒４は、指サック２とは異なり、一回の舌苔取りに１個が通常であるが、洗浄することにより複数回使用することができる。
【００２７】
本実施形態では、ガーゼを使用することにより、舌に接触するのがガーゼになり、操作時に舌上の味蕾を傷つけずに済み、衛生的でもある。また、ガーゼは繊維的には縦横に目が存在するので、舌苔が効果的に除去できる。
【符号の説明】
【００２８】
２…指サック、４…ガーゼ筒、６…舌苔除去具、８…先端部分のミシン線、１０…長手部分のミシン線、１２…ゴム輪部分のミシン線、１４…指の付け根部分のミシン線、１６…ゴム輪
【図１】
0003213198.tif 000003
【図２】
0003213198.tif 000004
【図３】
0003213198.tif 000005
【手続補正書】
【提出日】平成29年8月28日(2017.8.28)
【手続補正１】
【補正対象書類名】実用新案登録請求の範囲
【補正対象項目名】請求項９
【補正方法】変更
【補正の内容】
【請求項９】
請求項６に記載の舌苔除去具用の木綿布。